(57)【要約】【課題】  スーパーマーケット等で使用される極薄ポリ袋、レジ袋等のポリ袋の口を容易に開けることを可能とする。【解決手段】  厚さ数ｍｍのポリウレタンゲルからなり、その表面及び裏面が粘着性のポリ袋開口用粘着シート１である。ポリ袋開口用粘着シート１の裏側は、スーパーマーケット等のレジ近傍や袋詰めをする台等の固定物に貼付するための固定面２として使用し、ポリ袋開口用粘着シート１の表側は、ポリ袋の開口部の一方のフィルムに粘着させる粘着面３として使用する。粘着面３の上側約３分の２の部分には、粘着力を調節するための多数の凹部４を形成するとともに、粘着面３の下側約３分の１の部分には、商標、模様、図形、文字等を表示することができる表記面５を設け、ポリ袋開口用粘着シート１の使用説明や、宣伝広告などに利用することができる。【選択図】  図１
2012148795.tif 000002
【特許請求の範囲】
【請求項１】
固定物に貼付して使用されポリ袋の口を開けるために使用されるポリ袋開口用粘着シートであって、固定物に貼付するための固定面と、ポリ袋の開口部の一方のフィルムに粘着させる粘着面とを備えたポリ袋開口用粘着シート。
【請求項２】
前記粘着面には、前記一方のフィルムに対する粘着力を調節するための凹部が形成されている請求項１記載のポリ袋開口用粘着シート。
【請求項３】
前記粘着面には、表記面が設けられている請求項１又は２記載のポリ袋開口用粘着シート。
【請求項４】
水洗い及び乾燥により粘着力の回復が可能な請求項１乃至３の何れか一項に記載のポリ袋開口用粘着シート。
【発明の詳細な説明】
【技術分野】
【０００１】
本発明は、スーパーマーケット等で使用される極薄ポリ袋、レジ袋等のポリ袋の口を容易に開けることを可能とするポリ袋開口用粘着シートに関する。
【背景技術】
【０００２】
従来より、スーパーマーケット等では、消費者が購入した野菜、果実・魚介類などの生鮮食料品を入れるために、極薄ポリ袋が使用されている。この極薄ポリ袋は、冷凍食品等の結露水により他の購入商品が濡れるのを防止するためにも使用されている。このような極薄ポリ袋は、ロールに巻いた状態で提供されており、消費者はそのロールから一袋分を引き出し、ミシン目で切り取った後、その口を開いて生鮮食料品等を入れることになる。生鮮食料品等を入れた極薄ポリ袋は、他の購入商品とともに更にレジ袋に入れられて、各家庭に持ち帰られる。
【０００３】
このような極薄ポリ袋、レジ袋等のポリ袋は、未使用の状態では袋の口が閉じた状態にあり、開口部の２枚の重なったフィルムが完全に密着しているため、使用に際してスーパーマーケットの店員や消費者が指で２枚のフィルムを横方向にずらせる等により、その口を開く必要がある。しかし、ポリ袋の口の２枚のフィルムは静電気等により密着している場合が多く、指で開くことが困難な場合が多い。特に乾燥しやすい冬季や高齢者が使用する場合には、指が乾燥しているためにポリ袋の口を開くことは難しいため、やむなく指を舐めて湿らせるなどの行為が採られることになる。このような場合を考慮して、スーパーマーケット等の袋詰めをする台の中央には、指を湿らせるための濡れた布巾が用意されている。しかし、このような布巾を多くの人が利用すると雑菌等が繁殖し、衛生的に好ましくないので、利用されることは少ない。
【発明の概要】
【発明が解決しようとする課題】
【０００４】
本発明は、このような実情に鑑み、スーパーマーケット等で使用される極薄ポリ袋、レジ袋等のポリ袋の口を容易に開けることを可能とすることを目的とする。
【課題を解決するための手段】
【０００５】
上記目的を達成するために、本発明のポリ袋開口用粘着シートは、固定物に貼付して使用されポリ袋の口を開けるために使用されるポリ袋開口用粘着シートであって、固定物に貼付するための固定面と、ポリ袋の開口部の一方のフィルムに粘着させる粘着面とを備えたことを特徴としている。
【０００６】
本発明のポリ袋開口用粘着シートは、その固定面を予め例えばスーパーマーケット等のレジ近傍、袋詰めをする台等の固定物に貼付した状態で使用される。スーパーマーケットの店員や消費者は、ポリ袋を使用するに際し、取り出したポリ袋の開口部をポリ袋開口用粘着シートの粘着面に押しつける。すると、ポリ袋の開口部の２枚のフィルムのうち、一方のフィルムのみが粘着面に粘着することになる。この状態で２枚のフィルムの上から指を押しつけて横方向にスライドさせると、静電気等により密着していた開口部の２枚のフィルムは容易に離れ、これにより、簡単にポリ袋の開口部を開くことができる。開口部を開いたポリ袋は、容易に本発明のポリ袋開口用粘着シートから引き剥がすことができる。
【０００７】
本発明においては、前記粘着面に、前記一方のフィルムに対する粘着力を調節するための凹部が形成されている構成とすることが可能である。このような凹部を設けることにより、ポリ袋の開口部のフィルムへの粘着面積が小さくなるので、粘着力を低減させることができる。
【０００８】
また、前記粘着面に、文字、図形、模様等を描くための表記面を設けてもよい。このような表記面は、ポリ袋開口用粘着シートの使用説明、宣伝広告等に使用することができる。
【０００９】
更に、本発明のポリ袋開口用粘着シートは、水洗い及び乾燥により粘着力を回復させることができる。
【発明の効果】
【００１０】
本発明のポリ袋開口用粘着シートは、固定物に貼付して使用することにより、ポリ袋の開口部をポリ袋開口用粘着シートの粘着面に押しつけるだけで、ポリ袋の口を容易に開けることができる。
【００１１】
また、本発明のポリ袋開口用粘着シーの粘着面に凹部を設けることにより、ポリ袋の開口部のフィルムへの粘着力を調節することができる。
【００１２】
更に、粘着面に表記面を設けることにより、文字、図形、模様等を描き、使用説明、広告宣伝等の機能を付加することができる。
【００１３】
また、本発明のポリ袋開口用粘着シートは、水洗いによりゴミや埃を除去することができ、これを乾燥させることにより粘着力を回復させるとともに、清潔感を保つことができることができる。
【図面の簡単な説明】
【００１４】
【図１】本発明のポリ袋開口用粘着シートの一実施形態を示す斜視図である。
【発明を実施するための形態】
【００１５】
本発明の実施形態について、図面を参照しながら以下に説明するが、本発明は以下の記載に限定されるものではない。
【００１６】
図１は本発明のポリ袋開口用粘着シートの一実施形態を示す斜視図である。本実施形態のポリ袋開口用粘着シート１は、同図に示すように、厚さ数ｍｍの平面視矩形の外観を有している。このポリ袋開口用粘着シート１はポリウレタンゲルからなり、その表面及び裏面は非常に粘着性の強いものとなっている。このように粘着性の強いポリ袋開口用粘着シート１の裏側は、スーパーマーケット等のレジ近傍や袋詰めをする台等の固定物に貼付するための固定面２として機能し、ポリ袋開口用粘着シート１の表側は、ポリ袋の開口部の一方のフィルムに粘着させる粘着面３として機能する。
【００１７】
本実施形態では、ポリ袋開口用粘着シート１の粘着面３には、粘着力を調節するための多数の凹部４が形成されている。本実施形態では、凹部４は粘着面３の上側約３分の２の部分に形成されており、凹部４の数の増減により、粘着面３の粘着力を調節することができる。
【００１８】
更に、本実施形態では、ポリ袋開口用粘着シート１の粘着面３の下側約３分の１の部分には、商標、模様、図形、文字等を表示することができる表記面５が設けられている。この表記面５は、このポリ袋開口用粘着シート１の使用方法の説明や、宣伝広告などのために使用することができる。本実施形態では、表記面５もポリウレタンゲルからなり、従って、表記面５もポリ袋の開口部の一方のフィルムに粘着して開口させる機能を果たす。
【００１９】
上記実施形態では、ポリ袋開口用粘着シート１の材質としてポリウレタンゲルを用いた場合について説明したが、本発明はこれに限定されるものではなく、ポリ袋に粘着し再び剥がすことができるのものであれば、どのような材質であってもよい。しかし、ポリウレタンゲルを用いた場合、ポリ袋開口用粘着シート１の表面にゴミ等が付着して粘着力が低下した場合にも、水洗い及び乾燥によりその表面に付着したゴミ等を除去するとともに粘着力の回復が可能であるという利点がある。また、水洗いにより雑菌も除去できるので、衛生面でも好ましい。
【産業上の利用可能性】
【００２０】
本発明のポリ袋開口用粘着シートは、スーパーマーケットや小売店で使用できるので、流通業界等で利用可能性である。
【符号の説明】
【００２１】
１  ポリ袋開口用粘着シート
２  固定面
３  粘着面
４  凹部
５  表記面
【図１】
2012148795.tif 000003